(57)【要約】【課題】電子的取引システムにおいて、利用者が選択したい数点の商品のバーコードを携帯電話を利用して送る手段を提供し、商品リストを表示することによって、当該商品に関する情報を電子ショップから利用者に提供する。【解決手段】電子的取引システムにおいて、利用者ごとに該利用者が１つ又は複数の商品の情報をカメラ付き携帯電話端末のアプリケーションによってバーコードの文字列を取得し、利用者端末からの要求によって該選択商品データベースにデータを記憶させ又は削除する機能を有し、該選択商品データベースに記憶されている商品が利用者端末の画面に表示されたとき、該商品の詳細情報を表わすことにより実現する。【選択図】図１
2010128775.tif 000002
【特許請求の範囲】
【請求項１】
データ通信及びバーコードの読み取り可能な利用者携帯電話端末と、該利用者端末との間でデータを送受信する情報提供システムとを有する電子的取引システムにおいて、前記情報提供システムは、利用者ごとに該利用者が選択した１つ又は複数の商品を記憶する選択商品データベースを有し、前記利用者端末からの要求によってデータを記録させ又は削除する機能を有し、該選択商品データベースに記録されている商品が前記利用者端末の画面に表示されたとき、該商品の詳細情報を表わす電子的取引システム。
【請求項２】
前記情報提供システムは、少なくとも商品の金額情報又は在庫数量のいずれかを含む商品データを記憶する販売商品データベースを有し、前記選択商品データベースに記録された商品の金額情報又は在庫数量に対応して、前記利用者端末の画面に表示される金額、在庫情報を変化させる請求項１に記載の電子的取引システム。
【請求項３】
前記情報提供システムは、前記利用者端末からの要求によって、前記選択商品データベースに登録された商品の一覧表を該利用者端末の画面に表示させる機能を有する請求項１又は２に記載の電子的取引システム。
【請求項４】
前記一覧表を表示後、前記利用者端末からの要求によって、一覧表に表示された商品全てについて、一括買取又は一括購入の申込みを含む一括処理を実行する機能を有する請求項１〜３に記載の電子的取引システム。
【発明の詳細な説明】
【技術分野】
【０００１】
本発明は、インターネット等の通信ネットーワークを介して行われる電子的取引システムに関するものであり、特に、利用者が選択したい１つ又は複数の商品の商品のバーコードを携帯電話を利用して送る手段を提供し、商品リストを表示させることができる電子的取引システムに関するものである。
【背景技術】
【０００２】
近年、インターネット等を利用した電子的取引が広く行われている。電子的取引においては、利用者はまず、電子ショップが開設するＷＥＢページにアクセスし、商品（無形のサービスを含む。以下同じ。）のリストを閲覧する。商品リストには、商品名、価格、仕様、広告情報などが記載されており、写真等の画像データが添付されている場合も多い。利用者は、商品リストの中から目的の商品を見つけたら、各取引に移行する。
【０００３】
携帯電話の一次元コード(バーコード)及び二次元コード(ＱＲコード等が該当)を読み取る事を利用した電子的取引も存在する。携帯電話のアプリケーションを動かし、携帯電話に付属しているカメラを使ってバーコード情報を読み出し、その情報に関するサイトに移行したり、その情報を送信する事により各種端末で表示させることができる。
【０００４】
利用者端末との間でデータを送受信する情報提供システムは、セッションで管理された利用者ごとに該利用者が選択した１又は複数の商品を記憶する選択商品データベースを有し、あらかじめ登録された利用者ごとに該利用者が過去に取引した１つ又は複数の商品を記憶する選択商品データベースを有し、前記利用者端末からの要求によって該選択商品データベースにデータを記憶させ又は削除する機能を有し、それにより過去に取引した商品や、おすすめの商品等の内容を表示させることによって、比較的簡単に目的の商品の取引に移行できる。
【発明の開示】
【発明が解決しようとする課題】
【０００５】
一般的に、電子ショップのＷＥＢページには、膨大な種類の商品が掲載されているため、利用者は目的の商品情報を即座に見つけ、決定することは難しい。商品リストの中から該当する商品を選択し、他の電子ショップのＷＥＢページと比較したり、あるいは実際の店舗で商品の実物を確認する等をして最終的に取引する商品を決定する場合が多い。
【０００６】
過去に取引した商品に関しても、あらかじめ登録された利用者ごとに該利用者が過去に取引した１又は複数の商品を記憶する選択商品データベースを有し、それにより過去に取引した商品の内容を表示させることによって過去の履歴を表示できるとはいえ、同じ商品を見つけるまで探さなければならない。
【０００７】
携帯電話のバーコード(以下バーコードは一次元バーコード、二次元バーコード等のことを指す)を読み取る事を利用した電子的取引に於いても、ＷＥＢを利用して送信する場合でも多数の商品を扱いたい場合に於いては何度も繰り返す必要がある。
【０００８】
膨大な種類の商品の中から目的の商品を見つけ出す事は検索エンジンが進歩しているとはいえ、手間のかかる事である。そこで、本発明による電子的取引システムに於いては、身近なバーコードと携帯電話を利用して該当の商品を検索する手段を提供する。さらに、このバーコードによって１つ又は複数の商品の情報を一括して送信及び検索する手段を提供する。
【特許文献１】特許公表２００６−５２７５４４
【発明を実施するための最良の形態】
【０００９】
上記課題を解決するために、本発明による電子的取引システムに於いては、利用者端末との間でデータを送受信する情報提供システムは、セッションで管理された該利用者が選択した１又は複数の商品を記憶する選択商品データベースを有し、前記利用者端末からの要求によって該選択商品データベースにデータを記憶させ又は削除する機能を有し、該選択商品データベースに記憶されている商品が携帯電話のバーコードの読み取り機能を利用して取得した情報から一致するものを検索し、前記利用者端末又は別の利用者端末に表示させる機能を持つ。
【００１０】
また、前記情報提供システムは、少なくとも商品の在庫数量及び金額又は広告情報のいずれかを含む商品データを記憶する商品データベースを有し、携帯電話からＷＥＢページを利用して送信されたバーコードの情報に対応して、前記選択商品データベースに記憶された商品の在庫数量及び金額又は広告情報を表示させる。
【００１１】
また、前記情報システムは、前記利用者端末からの要求によって、前記選択商品データベースに登録された商品の一覧表を該利用者端末の画面に表示させる機能を有する。
【００１２】
また、前記情報システムは、前記利用者端末からの要求によって、一覧表に表示された商品全てに於いて、一括購入申込みを含む一括処理を実行する機能を有する。
【００１３】
以下、本発明の実地の形態を図面を参照して説明する。以下の形態は、本発明の一態様を示すものであって、この発明を限定するものではなく、本発明の範囲内で自由に変更可能である。
【００１４】
図１は本発明による電子的取引システムの全体図である。ＰＣ１０２と携帯電話１０１は一般的なＰＣ又は携帯電話端末であり、インターネット等のネットワークに接続でき、携帯電話はバーコードを読み取る機能を持つものがあればよい。利用者は携帯電話１０１にバーコードを読み取るアプリケーションを利用して取得した１又は複数のデータをインターネット１０３を経由して電子ショップ１０４のＷＥＢページにアクセスし、データベースに記憶された商品と照会し、その結果を携帯電話１０１又はＰＣ１０２から閲覧し各種電子的取引に移行する。
【００１５】
電子ショップ１０４はＷＥＢサーバ１０５、アプリケーションサーバ１０６、セッションサーバ１０７、顧客データベース１０８、商品データベース１０９、管理端末１１０等が構内ネットワークにより接続された構成となっている。
【００１６】
ＷＥＢサーバ１０５は一般的なＰＣサーバであり、インターネット１０３上にＷＥＢページを提供する機能を有し、アプリケーションサーバ１０６は、一般的なＰＣサーバであり、電子的取引の機能を実現させるソフトウェアを動作させる為のものであり、セッションサーバ１０７はアクセスした固体情報を一時的に特定する為のものであり、顧客データベース１０８は、当該電子ショップ１０４の顧客として登録された利用者の登録名、メールアドレス等を記憶するデータベースであり、顧客データベース１０９は、当該電子ショップ１０４で取引する各商品の、商品名、商品コード、仕様、価格、在庫数量等を記憶するデータベースである。商品データベース１０９は顧客データベース１０８かセッションで個人が確立された利用者ごとに、当該利用者が指定した商品の商品コードを複数記憶することができるデータベースであり、管理端末１１０は、一般的なＰＣ等の端末であり、前記各サーバを操作したり、前記各データベースから管理データ等を取得する為のものであり、構内ネットワーク１１１は、イーサネットによるＬＡＮ等のネットワークである。これらのサーバ及びデータベース等は、図１に示したように独立した構成でも複数を組み合わせた形態で構成してもよい。
【００１７】
次に、利用者端末である携帯電話１０１に表示されるＷＥＢページの画面を参照しながら、本発明による電子的取引システムの動作の概要を説明する。
【００１８】
図２は電子ショップ１０４のＷＥＢページにおける送信ページ２０１の一例である。送信ページ２０１を表示する為には、携帯電話にバーコードを読み取る機能を持ち、アプリケーションをインストールしている必要がある。エリア２０２は取り込んだバーコードのコードを複数表示させる。
【００１９】
リンク２０３によってアプリケーションを起動させる。このアプリケーション機能によってバーコードの情報を取り込む。取り込む度にエリア２０２にコード情報を追記していく。リンク２０４によってエリア２０２にあるコードを全て当該電子ショップ１０４に送信する。
【００２０】
次に、利用者端末であるＰＣ１０２に表示されるＷＥＢページの画面を参照しながら、本発明による電子的取引システムの動作の概要を説明する。
【００２１】
図３は電子ショップ１０４のＷＥＢページにおける閲覧ページ３０１の一例である。エリア３０２は電子ショップ１０４からリンク２０４によって送信された１つ又は複数のバーコードのコードを商品データベース１０９と照会して該当した項目を表示させる。
【００２２】
図４はバーコードのデータの取込に関する一例である。複数件の場合４０２は取得したコードの数だけ記号を挟んだ形式のＧＥＴ形式で送信する。ＰＯＳＴ形式でも構わない。
【産業上の利用可能性】
【００２３】
上述のように、本発明の電子的取引システムによれば、携帯電話のアプリケーションによりバーコード情報を取得してまとめて送信することで、そのバーコードに該当する同商品を検索しユーザ端末に表示することができるという効果を持ち、各取引の効率が上昇する。
【図面の簡単な説明】
【００２４】
【図１】本発明のシステムを表す図である。
【図２】本発明による送信ページ
【図３】本発明による結果表示ページ
【図４】本発明の取得コードの例を表す図である。
【図５】本発明に関する部分のフローチャートである。
【符号の説明】
【００２５】
１０１    ユーザー携帯電話端末
１０２    ユーザーＰＣ端末
１０３    インターネット
１０４    電子ショップ
１０５    ＷＥＢサーバ
１０６    アプリケーションサーバ
１０７    セッションサーバ
１０８    顧客データベース
１０９    商品データベース
１１０    管理端末
１１１    構内ネットワーク
２０１    送信ページ
２０２    取込内容表示エリア
２０３    起動リンク
２０４    送信リンク
３０１    閲覧ページ
３０２    取込結果表示エリア
４０１    １件の場合の取得結果
４０２    複数件の場合の取得結果
【図１】
2010128775.tif 000003
【図２】
2010128775.tif 000004
【図３】
2010128775.tif 000005
【図４】
2010128775.tif 000006
【図５】
2010128775.tif 000007